(57)【要約】【課題】移動通信システムの基地局装置において、装置負荷の大きさ等に応じて、ページング情報を選別して破棄等の制御を行う技術を提供する。【解決手段】移動通信システムにおけるコアネットワークと接続され、ユーザ装置と通信を行う基地局装置において、コアネットワークからページング情報及び優先度情報を受信し、当該ページング情報に基づいて、周期的に到来するページング送信期間を算出するページング処理部と、前記ページング情報を格納したページングメッセージを作成し、当該ページングメッセージを前記ページング送信期間においてユーザ装置側に送信する送信制御部と、を備え、前記送信制御部は、前記基地局装置の処理負荷が所定の閾値よりも大きい場合に、非優先のページング情報の送信を次回以降のページング送信期間に繰り越すように構成する。【選択図】図４
2015115769.tif 000002
【特許請求の範囲】
【請求項１】
移動通信システムにおけるコアネットワークと接続され、ユーザ装置と通信を行う基地局装置であって、
コアネットワークからページング情報及び優先度情報を受信し、当該ページング情報に基づいて、周期的に到来するページング送信期間を算出するページング処理部と、
前記ページング情報を格納したページングメッセージを作成し、当該ページングメッセージを前記ページング送信期間においてユーザ装置側に送信する送信制御部と、を備え、
前記送信制御部は、前記基地局装置の処理負荷が所定の閾値よりも大きい場合に、非優先のページング情報の送信を次回以降のページング送信期間に繰り越す
ことを特徴とする基地局装置。
【請求項２】
移動通信システムにおけるコアネットワークと接続され、ユーザ装置と通信を行う基地局装置であって、
コアネットワークからページング情報及び優先度情報を受信し、当該ページング情報に基づいて、周期的に到来するページング送信期間を算出するページング処理部と、
前記ページング情報を格納したページングメッセージを作成し、当該ページングメッセージを前記ページング送信期間においてユーザ装置側に送信する送信制御部と、を備え、
前記送信制御部は、前記ページング送信期間に対応するページング情報の数が予め定めた最大多重数より大きくなる場合に、最大多重数を超えるページング情報の送信について、当該ページング情報の優先度に応じた最大繰り越し回数を設定して、次回以降のページング送信期間に繰り越す
ことを特徴とする基地局装置。
【請求項３】
前記送信制御部は、前記次回以降のページング送信期間に繰り越されたページング情報を、新たに受信したページング情報よりも優先させて送信する
ことを特徴とする請求項２に記載の基地局装置。
【請求項４】
前記送信制御部は、非優先のページング情報を受信したときに、前記基地局装置の処理負荷が所定の閾値よりも大きい場合に、当該ページング情報を破棄する機能を有する
ことを特徴とする請求項１又は２に記載の基地局装置。
【請求項５】
移動通信システムにおけるコアネットワークと接続され、ユーザ装置と通信を行う基地局装置が実行するページング送信制御方法であって、
コアネットワークからページング情報及び優先度情報を受信し、当該ページング情報に基づいて、周期的に到来するページング送信期間を算出するページング処理ステップと、
前記ページング情報を格納したページングメッセージを作成し、当該ページングメッセージを前記ページング送信期間においてユーザ装置側に送信する送信制御ステップと、を備え、
前記送信制御ステップにおいて、前記基地局装置は、当該基地局装置の処理負荷が所定の閾値よりも大きい場合に、非優先のページング情報の送信を次回以降のページング送信期間に繰り越す
ことを特徴とするページング送信制御方法。
【請求項６】
移動通信システムにおけるコアネットワークと接続され、ユーザ装置と通信を行う基地局装置が実行するページング送信制御方法であって、
コアネットワークからページング情報及び優先度情報を受信し、当該ページング情報に基づいて、周期的に到来するページング送信期間を算出するページング処理ステップと、
前記ページング情報を格納したページングメッセージを作成し、当該ページングメッセージを前記ページング送信期間においてユーザ装置側に送信する送信制御ステップと、を備え、
前記送信制御ステップにおいて、前記基地局装置は、前記ページング送信期間に対応するページング情報の数が予め定めた最大多重数より大きくなる場合に、最大多重数を超えるページング情報の送信について、当該ページング情報の優先度に応じた最大繰り越し回数を設定して、次回以降のページング送信期間に繰り越す
ことを特徴とするページング送信制御方法。
【請求項７】
前記送信制御ステップにおいて、前記基地局装置は、前記次回以降のページング送信期間に繰り越されたページング情報を、新たに受信したページング情報よりも優先させて送信する
ことを特徴とする請求項６に記載のページング送信制御方法。
【発明の詳細な説明】
【技術分野】
【０００１】
本発明は、移動通信システムにおける基地局装置ｅＮＢにおいて、トラヒックの増大時に、処理負荷を低減させるための技術に関連するものである。
【背景技術】
【０００２】
基地局装置ｅＮＢとユーザ装置ＵＥが無線通信を行う移動通信システムにおいて、災害やイベント等により、例えばトラヒックがバースト的に発生した場合に、基地局装置ｅＮＢの装置能力限界により、呼処理信号が破棄される可能性がある。
【０００３】
接続中のユーザ装置ＵＥの呼処理信号を途中で破棄することは、移動通信のサービスとして望ましくないため、呼処理負荷が装置能力以上となる場合は新規呼の受付を破棄することで、既存呼を守る方式を採用することが望ましい。なお、信号を廃棄することで輻輳を回避する先行技術文献として特許文献１がある。
【先行技術文献】
【特許文献】
【０００４】
【特許文献１】特開２０１３−０３８５７３号公報
【発明の概要】
【発明が解決しようとする課題】
【０００５】
ＬＴＥに準拠した移動通信システムでは、ユーザ装置ＵＥが着信を受ける場合等に、基地局装置ｅＮＢからユーザ装置ＵＥにページング情報（より詳細には、ｐａｇｉｎｇ  ｍｅｓｓａｇｅに入れられたｐａｇｉｎｇ  ｒｅｃｏｒｄ）が送信され、自分宛のページング情報を受信したユーザ装置ＵＥは、ランダムアクセス手順を実行して基地局装置ｅＮＢとの接続を行う。図１に、ページングからランダムアクセス手順までの概要を示す。
【０００６】
まず、コアネットワークのＭＭＥからぺージング要求が基地局装置ｅＮＢに送信され（ステップ１）、基地局装置ｅＮＢからユーザ装置ＵＥにページング情報が送信される（ステップ２）。ＵＥ−ＩＤにより自分がページングを受けていることを検知したユーザ装置ＵＥは、ＰＲＡＣＨ（Ｐｈｙｓｉｃａｌ  Ｒａｎｄｏｍ  Ａｃｃｅｓｓ  Ｃｈａｎｎｅｌ）を使用して、プレアンブル（ｐｒｅａｍｂｌｅ）を送信する（ステップ３）。基地局装置ｅＮＢがプレアンブルを検出すると、その応答であるＲＡＣＨ応答（ＲＡＣＨ  ｒｅｓｐｏｎｓｅ）メッセージを送信する（ステップ４）。ＲＡＣＨ応答メッセージを受信したユーザ装置ＵＥは、ＲＲＣ接続要求（ＲＲＣ  ｃｏｎｎｅｃｔｉｏｎ  ｒｅｑｕｅｓｔ）メッセージを送信する（ステップ５）。基地局装置ｅＮＢは、ＲＲＣ接続要求メッセージを受信後、コネクション確立のためのセル設定情報等を含むＲＲＣ接続セットアップ（ＲＲＣ  ｃｏｎｎｅｃｔｉｏｎ  ｓｅｔｕｐ）メッセージを送信する（ステップ６）。自身のＵＥ−ＩＤがＲＲＣ接続セットアップメッセージに含まれていたユーザ装置ＵＥは、コネクションを確立する。  
上記のプレアンブル送信を１番目とした３番目のメッセージであるＲＲＣ接続要求メッセージをＲＡＣＨメッセージ３と呼ぶ。ここで、呼接続のために基地局装置ｅＮＢのリソースが確保されるのはＲＡＣＨメッセージ３を検出した後である。
【０００７】
従って、トラヒック増大時に、基地局装置ｅＮＢの呼処理の処理負荷を低減するために新規呼を破棄する場合には、ＲＡＣＨメッセージ３より前の段階で破棄を行うことが望ましい。その１つの実現策として、ユーザ装置ＵＥへの着信時に、基地局装置ｅＮＢにおいてページング情報を破棄することが考えられる。
【０００８】
ここで、移動通信システムが扱う呼には、通常の通話等に用いられる呼の他に、緊急呼もしくは優先呼がある。しかし、基地局装置ｅＮＢの処理負荷を低減するために、一律にページング情報の破棄を行ってしまうと、破棄されるべきでない緊急呼／優先呼に係るページング情報についても、破棄される可能性があるという問題がある。
【０００９】
本発明は上記の点に鑑みてなされたものであり、移動通信システムの基地局装置において、装置負荷の大きさ等に応じて、ページング情報を選別して破棄等の制御を行うことを可能とする技術を提供することを目的とする。
【課題を解決するための手段】
【００１０】
本発明の実施の形態によれば、移動通信システムにおけるコアネットワークと接続され、ユーザ装置と通信を行う基地局装置であって、
コアネットワークからページング情報及び優先度情報を受信し、当該ページング情報に基づいて、周期的に到来するページング送信期間を算出するページング処理部と、
前記ページング情報を格納したページングメッセージを作成し、当該ページングメッセージを前記ページング送信期間においてユーザ装置側に送信する送信制御部と、を備え、
前記送信制御部は、前記基地局装置の処理負荷が所定の閾値よりも大きい場合に、非優先のページング情報の送信を次回以降のページング送信期間に繰り越す基地局装置が提供される。
【００１１】
また、本発明の実施の形態によれば、移動通信システムにおけるコアネットワークと接続され、ユーザ装置と通信を行う基地局装置であって、
コアネットワークからページング情報及び優先度情報を受信し、当該ページング情報に基づいて、周期的に到来するページング送信期間を算出するページング処理部と、
前記ページング情報を格納したページングメッセージを作成し、当該ページングメッセージを前記ページング送信期間においてユーザ装置側に送信する送信制御部と、を備え、
前記送信制御部は、前記ページング送信期間に対応するページング情報の数が予め定めた最大多重数より大きくなる場合に、最大多重数を超えるページング情報の送信について、当該ページング情報の優先度に応じた最大繰り越し回数を設定して、次回以降のページング送信期間に繰り越す基地局装置が提供される。
【００１２】
また、本発明の実施の形態によれば、移動通信システムにおけるコアネットワークと接続され、ユーザ装置と通信を行う基地局装置が実行するページング送信制御方法であって、
コアネットワークからページング情報及び優先度情報を受信し、当該ページング情報に基づいて、周期的に到来するページング送信期間を算出するページング処理ステップと、
前記ページング情報を格納したページングメッセージを作成し、当該ページングメッセージを前記ページング送信期間においてユーザ装置側に送信する送信制御ステップと、を備え、
前記送信制御ステップにおいて、前記基地局装置は、当該基地局装置の処理負荷が所定の閾値よりも大きい場合に、非優先のページング情報の送信を次回以降のページング送信期間に繰り越すページング送信制御方法が提供される。
【００１３】
また、本発明の実施の形態によれば、移動通信システムにおけるコアネットワークと接続され、ユーザ装置と通信を行う基地局装置が実行するページング送信制御方法であって、
コアネットワークからページング情報及び優先度情報を受信し、当該ページング情報に基づいて、周期的に到来するページング送信期間を算出するページング処理ステップと、
前記ページング情報を格納したページングメッセージを作成し、当該ページングメッセージを前記ページング送信期間においてユーザ装置側に送信する送信制御ステップと、を備え、
前記送信制御ステップにおいて、前記基地局装置は、前記ページング送信期間に対応するページング情報の数が予め定めた最大多重数より大きくなる場合に、最大多重数を超えるページング情報の送信について、当該ページング情報の優先度に応じた最大繰り越し回数を設定して、次回以降のページング送信期間に繰り越すページング送信制御方法が提供される。
【発明の効果】
【００１４】
本発明の実施の形態によれば、移動通信システムの基地局装置において、装置負荷の大きさ等に応じて、ページング情報を選別して破棄等の制御を行うことを可能とする技術が提供される。
【図面の簡単な説明】
【００１５】
【図１】ページングに起因するランダムアクセス手順を示す図である。
【図２】ページング動作の基本例を示す図である。
【図３】本発明の実施の形態に係る移動通信システムの構成例である。
【図４】基地局装置ｅＮＢの機能構成図である。
【図５】基地局装置ｅＮＢの動作概要を説明するためのシーケンス図である。
【図６】基地局装置ｅＮＢの機能構成図である。
【図７】動作例１−１を説明するための図である。
【図８】動作例１−１におけるページングメッセージ送信制御部１２の処理例を示す図である。
【図９】動作例１−２を説明するための図である。
【図１０】動作例１−２におけるページングメッセージ送信制御部１２の処理例を示す図である。
【図１１】動作例１−１、１−２に関する他の処理例を示す図である。
【図１２】動作例２を説明するための図である。
【図１３】動作例２におけるページングメッセージ送信制御部１２の処理例を示す図である。
【発明を実施するための形態】
【００１６】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。
【００１７】
本明細書及び特許請求の範囲において、「ＬＴＥ」は、ＬＴＥ向けＥＰＣも含む意味で使用し、３ＧＰＰのリリース８、又は９に対応する通信方式のみならず、３ＧＰＰのリリース１０、１１、又は１２もしくはそれ以降に対応する通信方式も含む広い意味で使用する。
【００１８】
（実施の形態の概要）
まず、本発明の実施の形態の前提となるページング動作の基本例を図２を参照して説明する。図２に示すように、ＭＭＥからページング要求（Ｓ１−ＡＰ：Ｐａｇｉｎｇ）が基地局装置ｅＮＢに送られる。図２では、ページングを区別するために、ａ、ｂ、ｃ、ｄ等の記号を使用している。以降の同種の図でも同様であり、この記号を使用して、ページング要求ａ、ページング情報ａといった記載方法を採用する。
【００１９】
ページング要求には、ページング先のユーザ装置ＵＥのＩＤ（ＵＥ−ＩＤ）、ページング周期、ページングを行う先のエリア情報（ＵＥが存在する可能性のあるエリアの情報）等が含まれている。
【００２０】
ページング要求を受信した基地局装置ｅＮＢは、ページング要求に含まれる情報から、ページング情報（ｐａｇｉｎｇ  ｒｅｃｏｒｄ）を送信するフレーム番号及びフレーム内のサブフレーム番号（以降、これをページング送信期間と呼ぶ。これを送信タイミングと呼ぶ場合もある。）を算出し、当該ページング送信期間にページング情報をページングメッセージに乗せて送信する。
【００２１】
ユーザ装置ＵＥに対するページング送信期間はページング周期毎に訪れる。また、１回のページング送信期間においては、複数のページング情報を多重してページングメッセージで送信することができるが、多重できるページング情報の数には制限があり、それを最大多重数と呼ぶ。例えば、図２の例において、３つのページング情報ｂとｃとｄがフレーム番号１０のページング送信期間に割り当てられたものとする。図２の例では、ｂとｃは最大多重数以下であり、最初のページング送信期間で送信することができるが、ページング情報ｄは最大多重数を超えるため、ページング情報ｄの送信は繰り越され、次の周期のページング送信期間で送信される。例えば、ページング情報数が多く、繰り越された先でも最大多重数を越えてしまう場合、更に繰り越すことができるが、繰り越しの回数には制限があり、それを最大繰り越し回数と呼ぶ。最大繰り越し回数だけ繰り越し後に送信できないページング情報は破棄される。
【００２２】
本実施の形態では、ＭＭＥから基地局装置ｅＮＢに送信されるページング要求に優先度情報を含めることとし、基地局装置ｅＮＢは、装置負荷、優先度情報等に基づいて、ページング情報の破棄や、繰り越しの制御を行う。
【００２３】
本実施の形態における優先度情報としては、新たに定義した優先度情報を用いてもよいし、例えば、ＭＰＳ（Ｍｕｌｔｉｍｅｄｉａ  ｐｒｉｏｒｉｔｙ  ｓｅｒｖｉｃｅ）でのｐｒｉｏｒｉｔｙ  ｌｅｖｅｌ（８段階）を利用してもよい。優先度情報が規定する優先度のレベル数に特に限定はないが、例えば、優先、非優先の２段階、高優先、中優先、低優先等の３段階、その他（上記８段階）等がある。優先度や、後述する装置輻輳状態（すなわち、閾値）は、基地局装置ｅＮＢにおいて適宜設定可能である。なお、多くの優先度を設ける場合において、例えば、最も高い優先度を「優先」とし、それ以外を「非優先」と見ることができるので、その場合も優先と非優先に分類することに含まれる。すなわち、「非優先」は、意味として低優先等を含むものである。
【００２４】
優先度情報は、優先端末から発信され、一般端末に着信する呼（優先発一般着呼）の優先度を、一般発一般着呼の優先度と区別できるように定義されていることが望ましい。なお、優先端末、一般端末等は、例えばアクセスクラス等で識別されるものである。
【００２５】
上記の区別が望ましい理由は次のとおりである。トラヒック増加時に基地局装置ｅＮＢの負荷を軽減するためには、優先度を考慮してページング情報を破棄することの他、優先度を考慮してＲＡＣＨメッセージ３（ＲＲＣ接続要求メッセージ）を破棄することも考えられる。
【００２６】
ユーザ装置ＵＥから送信されるＲＡＣＨメッセージ３には、Ｅｓｔａｂｌｉｓｈｍｅｎｔ  Ｃａｕｓｅと呼ばれる優先度を示す情報が含まれているが、Ｅｓｔａｂｌｉｓｈｍｅｎｔ  Ｃａｕｓｅでは、優先発一般着の呼と一般発一般着の呼が同じ通常呼のＥｓｔａｂｌｉｓｈｍｅｎｔ  Ｃａｕｓｅ（ＭＴ―Ａｃｃｅｓｓ）となる。すなわち、ＲＡＣＨメッセージ３のＥｓｔａｂｌｉｓｈｍｅｎｔ  Ｃａｕｓｅでは、優先発一般着呼と一般発一般着呼の優先度の違いを識別できず、優先度の高い優先発一般着呼を一般発一般着呼と同様に破棄してしまうことが生じ得る。従って、本実施の形態では、ページング要求に、少なくとも優先発一般着呼と一般発一般着呼の優先度を識別できるように設定された優先度情報が付され、基地局装置ｅＮＢはこの優先度情報に基づいてページング情報の破棄制御を行うこととしている。
【００２７】
（装置構成例、概要動作例）
図３に、本発明の実施の形態に係る移動通信システムの構成例を示す。図３に示すように、本実施の形態に係る移動通信システムは、セルを形成する基地局装置ｅＮＢと、セルに在圏して基地局装置ｅＮＢと無線通信を行うユーザ装置ＵＥを含む。図３には、基地局装置ｅＮＢとユーザ装置ＵＥが１台ずつ示されているが、これらは代表を示しており、それぞれ複数であってもよい。基地局装置ｅＮＢは、ＭＭＥを含むコアネットワークＣＮと接続されている。
【００２８】
本実施の形態では、当該移動通信システムは、少なくともＬＴＥに準拠した動作が可能である。すなわち、着信時にはページング及びＲＡＣＨの手順が実行される。
【００２９】
図４に、本実施の形態に係る基地局装置ｅＮＢの機能構成図を示す。図４は、本発明の実施の形態に係る機能のみを示すものであり、基地局装置ｅＮＢは、ＬＴＥに準拠した通信を実現するための図示しない機能も含むものである。
【００３０】
図４に示すように、本実施の形態に係る基地局装置ｅＮＢは、コアネットワーク側との通信を行うＣＮ通信部１０、ページング送信期間の計算等を行ってページング指示を行うページング指示部１１（ページング処理部と称してもよい）、ページングメッセージの作成やユーザ装置ＵＥへの送信制御を行うページングメッセージ送信制御部１２、及び、ユーザ装置ＵＥとの無線通信を行うＵＥ通信部１３を備える。
【００３１】
基地局装置ｅＮＢの動作概要を図５のシーケンス図を参照して説明する。
【００３２】
ユーザ装置ＵＥへの着信呼が発生すると、ＭＭＥから着信先のＵＥ−ＩＤ及び優先度情報を含むページング要求が基地局装置ｅＮＢに送信される（ステップ１０１）。ページング要求には、これらの情報の他にページング周期や、ユーザ装置ＵＥが存在し得るエリアの情報等が含まれている。
【００３３】
基地局装置ｅＮＢがページング要求を受信すると、ページング指示部１１が、ページング送信期間を算出し、ページング情報（ＵＥ−ＩＤを含む）、優先度情報等をページング要求から抽出して（ステップ１０２）、ページング送信期間、ページング情報、優先度情報等を含むページング指示をページングメッセージ送信制御部１２に送る（ステップ１０３）。
【００３４】
上記のページング指示は、ページング要求を受ける度に行われるものであり、例えば、あるページング送信期間でのページング送信を指示するページング指示がページングメッセージ送信制御部１２に送られた後に、同じページング送信期間でのページング送信を指示するページング指示がページングメッセージ送信制御部１２に送られる場合がある。
【００３５】
ページングメッセージ送信制御部１２は、受信した各ページング指示に含まれるページング情報をページング送信期間単位で組み立ててページングメッセージを作成するが、その際に、基地局装置ｅＮＢの負荷、ページング送信期間あたりの多重数等に応じて、優先度の低いページング情報をページングメッセージの乗せない制御や、優先度の高いページング情報の繰り越し回数を増加させるといった制御を行う（ステップ１０４）。ページングメッセージ送信制御部１２は、このような制御を経て作成されたページングメッセージを、ＵＥ通信部１３を介して、各ページング送信期間に送信する（ステップ１０５）。
【００３６】
図６に、本実施の形態に係る基地局装置ｅＮＢの他の機能構成図として、実装例に近い構成図を示す。図６に示す基地局装置ｅＮＢは、無線信号の送受信を行うアンテナ２０、アンテナに接続されるインターフェース部２１、ベースバンド処理部２２、装置制御部２３、コアネットワークと接続されるインターフェース部２４を含む。
【００３７】
ベースバンド処理部２２は、レイヤ１、レイヤ２の処理を行う。すなわち、ベースバンド処理部２２は、物理レイヤ、ＭＡＣレイヤ、ＲＬＣレイヤ、及びＰＤＣＰレイヤの処理を行う。ベースバンド処理部２２は、例えばＤＳＰ（Ｄｉｇｉｔａｌ  Ｓｉｇｎａｌ  Ｐｒｏｃｅｓｓｏｒ）により実現されるが、これに限られるわけではない。装置制御部２３は、ＲＲＣメッセージに基づく呼接続制御や監視制御等のレイヤ３以上の処理を行う。
【００３８】
例えば、図４に示した機能構成図におけるページング指示部１１を図６における装置制御部２３で実現し、ページングメッセージ送信制御部１２をベースバンド処理部２２で実現することができるが、これに限られるわけではなく、例えば、ページング情報の破棄制御、繰り越し回数制御等を装置制御部２３で行うこととしてもよい。
【００３９】
（装置動作例）
以下、本実施の形態に係る基地局装置ｅＮＢが実行するページングの動作例をより詳細に説明する。以下では、図４に示す基地局装置ｅＮＢの構成に基づいて説明を行うこととする。また、以下の例における「装置負荷」を示す値は、特定の値に限られない。「装置負荷」を示す値としては例えば、所定期間毎のページング要求のＭＭＥからの受信数、所定期間毎のページング情報のＵＥへの送信数、所定期間毎のＲＡＣＨメッセージ３のＵＥからの受信数、基地局装置ｅＮＢのＣＰＵ使用率等がある。また、装置負荷が高い／低いとは、例えば上記の値で示される装置負荷が、予め定めた閾値よりも大きい／小さいことである。また、ページング破棄／繰り越し制御の単位は、基地局装置ｅＮＢ単位としてもよいし、基地局装置ｅＮＢが管理するセル単位でもよい。これは輻輳している単位と合わせることが望ましい。
【００４０】
＜動作例１−１＞
動作例１−１は、基地局装置ｅＮＢの負荷が高いときに（輻輳しているときに）、優先度の低いページング情報については、指示されたページング送信期間で送信しないこととし、次の送信タイミング以降に繰り越す制御を行うものである。
【００４１】
動作例１−１を図７を参照して説明する。図７では、優先度を優先／非優先に分けている。また、図７の例では、１ページング送信期間への複数ページング情報多重の際に、最大多重数は超えないものとしている。
【００４２】
図７に示すように、基地局装置ｅＮＢのページング指示部１１が、優先度情報として「非優先」を含むページング要求ａを受信し、ページング送信期間を計算して、ページング送信期間と優先度情報（非優先）を指定してページング情報ａの送信をページングメッセージ送信制御部１２に指示する（図７のＡ）。
【００４３】
ページングメッセージ送信制御部１２は、ページング情報ａの送信タイミング（実際にはその直前）において装置負荷が低いことを検知し、ページング情報ａを含むページングメッセージを作成し、指定されたページング送信期間で送信する。
【００４４】
次に、ページング指示部１１は、「優先」であるページング要求ｂを受信し、フレーム１０のページング送信期間での送信をページングメッセージ送信制御部１２に指示する。また、ページング指示部１１は、「非優先」であるページング要求ｃを受信し、ページング送信期間の計算の結果から、フレーム１０のページング送信期間での送信をページングメッセージ送信制御部１２に指示し、更に、ページング指示部１１は、「優先」であるページング要求ｄを受信し、ページング送信期間の計算の結果から、フレーム１０のページング送信期間での送信をページングメッセージ送信制御部１２に指示する。  
装置負荷が高くない状態では、ページングメッセージ送信制御部１２は、ページング指示部１１から指示を受けた順番にページング情報をページングメッセージに乗せて、ページングメッセージを作成する。一方、図７の例では、ページングメッセージ送信制御部１２は、送信タイミングの時点で、装置負荷が高いことを検知し、２番目に指示された非優先のページング情報ｃを初回のタイミングではページングメッセージに乗せないことを決定する（繰り越すことを決定する）。ページングメッセージ送信制御部１２は、当該ページング情報ｃをメモリ等のバッファに記憶しておく（図７の×）。
【００４５】
ページングメッセージ送信制御部１２は、初回のタイミングで送信しなかった非優先のぺージング情報ｃについて、次回のタイミングでページングメッセージを作成する（Ｂ）。繰り越された非優先のページング情報についても、初回のタイミングと同様に、装置負荷に応じた判断がなされるが、図７の例では、次回のタイミングで装置負荷が低いことが検知されたので、ページングメッセージ送信制御部１２は、繰り越されたページング情報ｃを含むページングメッセージを送信する。仮にこのタイミングでも負荷が高い場合には、非優先ページング情報は更に次に繰り越される。ただし、繰り越し回数が多すぎると、サービスに影響するため、最大繰り越し回数が設けられ、最大繰り越し回数だけ繰り越しても送信されない場合には、当該ページング情報を破棄する。
【００４６】
次に、図８のフローチャートを参照して、動作例１−１におけるページングメッセージ送信制御部１２の判定処理を説明する。
【００４７】
ページングメッセージ送信制御部１２がページング指示部１１からページング指示を受信する（ステップ２０１）。ページングメッセージ送信制御部１２は優先度情報からページング情報の優先度を判定し（ステップ２０２）、「優先」であれば当該ページング情報を送信すると決定する（ステップ２０２）。ステップ２０２での判定結果が「非優先」である場合、ページングメッセージ送信制御部１２は、当該ページング情報の送信タイミングの時点（実際にはその直前）が到来したときに（ステップ２０４のＹｅｓ）、装置負荷をチェックする（ステップ２０５）。装置負荷が高い場合は、当該ページング情報の送信を繰り越すと決定する（ステップ２０６）。装置負荷が低ければ当該ページング情報を送信すると決定する（ステップ２０７）。
【００４８】
上記の例において、あるページング送信期間において、送るべきページング情報の多重数が最大多重数を超える場合、前述した基本例と同様に、超えたページング情報は次回のタイミングに繰り越される。この場合も、繰り越し回数は予め定めた最大繰り越し回数までである。ただし、動作例２と組み合わせることで、優先度の高いものは最大繰り越し回数を大きくすることができる。
【００４９】
＜動作例１−２＞
次に、動作例１−２を説明する。動作例１−２では、ページングメッセージ送信制御部１２が、非優先のページング情報送信指示をページング指示部１１から受信した時点で、装置負荷が高ければ、当該ページング情報を破棄する。
【００５０】
動作例１−２を図９を参照して説明する。基地局装置ｅＮＢのページング指示部１１が、優先度情報として「非優先」を含むページング要求ａを受信し、ページング送信期間を計算して、ページング送信期間と優先度情報（非優先）を指定してページング情報ａの送信をページングメッセージ送信制御部１２に指示する（Ａ）。
【００５１】
ページングメッセージ送信制御部１２は、装置負荷が低いことを検知し、ページング情報ａを含むページングメッセージを指定されたページング送信期間で送信する。
【００５２】
次に、ページング指示部１１は、「優先」であるページング要求ｂを受信し、フレーム１０のページング送信期間での送信をページングメッセージ送信制御部１２に指示する。また、ページング指示部１１は、「非優先」であるページング要求ｃを受信し、ページング送信期間の計算の結果から、フレーム１０のページング送信期間での送信をページングメッセージ送信制御部１２に指示する。本例では、ページングメッセージ送信制御部１２は、ページング指示部１１から、非優先のページング指示を受けたタイミングで、装置負荷を調べ、装置負荷が高い場合に、ページング情報を破棄する。図９の例では、ページング指示ｃを受けた時点（≒ＭＭＥからページング要求を受けた時点）で装置負荷が高いので、ページング情報ｃを破棄する（図９の×）。
更に、ページング指示部１１は、「優先」であるページング要求ｄを受信し、ページング送信期間の計算の結果から、フレーム１０のページング送信期間での送信をページングメッセージ送信制御部１２に指示する。ページングメッセージ送信制御部１２は、「優先」であるページング情報ｂ、ｄを乗せたページングメッセージを指定のページング送信期間で送信する。
【００５３】
次に、図１０のフローチャートを参照して、動作例１−２におけるページングメッセージ送信制御部１２の判定処理を説明する。
【００５４】
ページングメッセージ送信制御部１２がページング指示部１１からページング指示を受信する（ステップ３０１）。ページング指示を受信したタイミングで、ページングメッセージ送信制御部１２は、優先度情報からページング情報の優先度を判定し（ステップ３０２）、「優先」であれば当該ページング情報を送信すると決定する（ステップ３０３）。ステップ３０２での判定結果が「非優先」である場合、ページングメッセージ送信制御部１２は、装置負荷をチェックする（ステップ３０４）。装置負荷が高い場合は、当該ページング情報を破棄する（ステップ３０５）。装置負荷が低ければ当該ページング情報を送信すると決定する（ステップ３０６）。
【００５５】
＜動作例１−１、１−２に係る他の例＞
動作例１−１、１−２において、優先度が非優先、優先、最高優先の３段階に分類される場合の例を説明する。
【００５６】
本例では、装置負荷の閾値としてＴＨ１とＴＨ２（ＴＨ１＞ＴＨ２）を与え、装置負荷の検出値をＬとする。また、Ｌ≦ＴＨ２である場合を通常時とし、このときには、ページングメッセージ送信制御部１２は、非優先、優先、最高優先のいずれの場合も送信すると判定する。
【００５７】
また、ＴＨ２＜Ｌ≦ＴＨ１である場合を装置輻輳段階２とし、この場合、ページングメッセージ送信制御部１２は、最高優先もしくは最高である場合に送信すると判定し、非優先の場合は、繰り越し（動作例１−１）又は破棄（動作例１−２）を行う。
【００５８】
また、ＴＨ１＜Ｌである場合を装置輻輳段階１とし、この場合は、ページングメッセージ送信制御部１２は、最高優先である場合に送信すると判定し、優先又は非優先の場合は、繰り越し（動作例１−１）又は破棄（動作例１−２）を行う。
【００５９】
上記の前提において、基地局装置ｅＮＢの負荷が図１１（ａ）に示すように遷移した場合、図１１（ｂ）に示すように、初回送信タイミング及び次回送信タイミングにおいてページングメッセージの送信がなされる。例えば、動作例１−１において、ページング情報が非優先である場合、初回送信タイミングでは装置輻輳段階２であるので、ページング情報の送信は次回に繰り越される。
【００６０】
また、例えば、動作例１−２において、ページング情報が優先である場合、ページング指示受信タイミングにおいて、装置輻輳段階１であるため、優先であっても破棄される。
【００６１】
なお、基地局装置ｅＮＢが動作例１−１の機能と動作例１−２の機能の両方を備え、例えばコアネットワークからの設定により、いずれかを選択して使用することとしてもよい。
【００６２】
＜動作例２＞
次に、動作例２を説明する。動作例２では、基本例と同様に、ページング送信期間単位に、ページング指示の順番にページング情報をページングメッセージに乗せることでページングメッセージを作成するが、ページング情報の多重数が予め定められた最大多重数を超える場合には、該当のページング情報を次回のタイミングに繰り越す。  
ただし、動作例２では、最大繰り越し回数を、ページング情報の優先度に応じて、異ならせている。つまり、優先度が高いほど最大繰り越し回数を大きくする。最大繰り越し回数は、優先度と対応付けて予め定めておき、基地局装置ｅＮＢに設定しておくこととしてもよいし、装置負荷に応じて動的に決定してもよい。
【００６３】
例えば、非優先のページング情報については最大繰り越し回数を１とし、優先のページング情報については最大繰り越し回数を１よりも大きな値とする。このように、優先度の高いページング情報の最大繰り越し回数を増やすことで、優先度の高いページング情報が送信される確率が増加し、優先呼のＲＡＣＨ信号を通りやすくすることができる。
【００６４】
繰り越したページング情報については、優先／非優先にかかわらず、次回以降の送信タイミングにおいて、当該送信タイミングに対応して新たに受信したページング情報よりも優先的に送信する。すなわち、繰り越したページング情報は次回以降の送信タイミングでのメッセージ作成において、新たに受信したページング情報よりも先に乗せることとする。なお、繰り越したページング情報が多数あり、最大多重数を超える場合、超えたページング情報は更に繰り越されることになる。この繰り越しの回数は最大繰り越し回数までである。
【００６５】
繰り越したページング情報に関する上記の扱いは一例に過ぎない。例えば、繰り越し先の送信タイミングでページング指示された優先ページング情報を、繰り越しされた非優先ページング情報よりも優先させることとしてもよい。
【００６６】
なお、動作例１−１と動作例２を組み合わせて使用してもよいし、動作例１−２と動作例２を組み合わせて使用してもよい。
【００６７】
図１２を参照して、動作例２の一例を説明する。図１２の例において、装置輻輳中の記載がされているが、本例では、ページングメッセージ送信制御部１２は、装置負荷を判断に用いなくてもよい。図１２は、装置輻輳中であるので、最大多重数を超えるページング情報を受け易いということを意図した記載である。もちろん、装置負荷を判断に用いることとしてもよい。例えば、装置負荷が高い場合にのみ、優先度に応じた最大繰り返し回数を用い、装置負荷が高くない場合には、優先度にかかわらない一定の最大繰り返し回数を用いる。なお、ページング情報の多重数を装置負荷を表す指標の１つと考えることもできる。
【００６８】
図１２において、ページング情報ａのページング送信期間では、最大多重数を超えないので、ページング情報ａは送信される。次に、ページング情報ｂ、ｃ、ｄについてページング指示を受け、ページング情報ｄについては最大多重数を超えるため、次回に繰り越される（図１２の×）。ページング情報ｄは優先であるため、ページングメッセージ送信制御部１２は、ページング情報ｄの最大繰り越し回数として予め定めた１より大きな値を設定して繰り越しを管理する（Ａ）。例えば、ページングメッセージ送信制御部１２は、ページング情報と対応付けて、最大繰り越し回数を入れた変数を保持し、１回繰り越すたびに変数から１を引き、０になった時点で、繰り越しを停止するといった制御を行う。
【００６９】
次に、図１３を参照して、動作例２におけるページングメッセージ送信制御部１２の処理例を説明する。
【００７０】
ページングメッセージ送信制御部１２はページング指示を受信する（ステップ４０１）。ページングメッセージ送信制御部１２は、指示されたページング情報をページングメッセージに追加する際に、追加後の多重数が最大多重数を越えるか否かを判定する（ステップ４０２）。超えない場合は、当該ページング情報の送信を行う（ステップ４０３）。超える場合には、優先度に対応した最大繰り越し回数を設定して、繰り越しを行う（ステップ４０４）。
【００７１】
（実施の形態のまとめ、効果等）
以上説明したように、本実施の形態によれば、移動通信システムにおけるコアネットワークと接続され、ユーザ装置と通信を行う基地局装置であって、コアネットワークからページング情報（例：ＵＥ−ＩＤ等）及び優先度情報を受信し、当該ページング情報に基づいて、周期的に到来するページング送信期間を算出するページング処理部と、前記ページング情報を格納したページングメッセージを作成し、当該ページングメッセージを前記ページング送信期間においてユーザ装置側に送信する送信制御部と、を備え、前記送信制御部は、前記基地局装置の処理負荷が所定の閾値よりも大きい場合に、非優先のページング情報の送信を次回以降のページング送信期間に繰り越すことを特徴とする基地局装置が提供される。これにより、装置負荷の大きさ等に応じて、ページング情報を選別して繰り越しや破棄等の制御を行うことが可能となる。
【００７２】
また、本実施の形態では、移動通信システムにおけるコアネットワークと接続され、ユーザ装置と通信を行う基地局装置であって、コアネットワークからページング情報及び優先度情報を受信し、当該ページング情報に基づいて、周期的に到来するページング送信期間を算出するページング処理部と、前記ページング情報を格納したページングメッセージを作成し、当該ページングメッセージを前記ページング送信期間においてユーザ装置側に送信する送信制御部と、を備え、前記送信制御部は、前記ページング送信期間に対応するページング情報の数が予め定めた最大多重数より大きくなる場合に、最大多重数を超えるページング情報の送信について、当該ページング情報の優先度に応じた最大繰り越し回数を設定して、次回以降のページング送信期間に繰り越すことを特徴とする基地局装置が提供される。これにより、装置負荷の大きさ等に応じて、ページング情報を選別して繰り越しや破棄等の制御を行うことが可能となる。また、この構成では、優先度の高いページング情報の最大繰り越し回数を増やすことで、優先度の高いページング情報が送信される確率が増加し、優先呼のＲＡＣＨ信号を通りやすくすることができる。
【００７３】
前記送信制御部は、前記次回以降のページング送信期間に繰り越されたページング情報を、新たに受信したページング情報よりも優先させて送信することができる。このような構成とすることで、遅延を防ぎながら、負荷低減を図ることができる。
【００７４】
また、前記送信制御部は、非優先のページング情報を受信したときに、前記基地局装置の処理負荷が所定の閾値よりも大きい場合に、当該ページング情報を破棄する機能を有することとしてもよい。このような構成とすることで、負荷低減を効率的に図ることができる。
【００７５】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局装置は機能的なブロック図を用いて説明されたが、そのような装置はハードウェアで、ソフトウェアで又はそれらの組み合わせで実現されてもよい。本発明の実施の形態で説明した処理に対応する動作を実行するソフトウェア（基地局装置が有するプロセッサで実行される）は、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００７６】
ＵＥ  ユーザ装置
ｅＮＢ  基地局装置
１０  ＣＮ通信部
１１  ページング指示部
１２  ページングメッセージ送信制御部
１３  ＵＥ通信部
２０  アンテナ
２１、２４  インターフェース部
２２  ベースバンド処理部
２３  装置制御部
【図１】
2015115769.tif 000003
【図２】
2015115769.tif 000004
【図３】
2015115769.tif 000005
【図４】
2015115769.tif 000006
【図５】
2015115769.tif 000007
【図６】
2015115769.tif 000008
【図７】
2015115769.tif 000009
【図８】
2015115769.tif 000010
【図９】
2015115769.tif 000011
【図１０】
2015115769.tif 000012
【図１１】
2015115769.tif 000013
【図１２】
2015115769.tif 000014
【図１３】
2015115769.tif 000015